【手続補正書】
【提出日】平成18年2月14日(2006.2.14)
【手続補正１】
【補正対象書類名】特許請求の範囲
【補正対象項目名】全文
【補正方法】変更
【補正の内容】
【特許請求の範囲】
【請求項１】
宛先デバイスが取り付けられた少なくとも１つのネットワーク経路に接続されているソース・デバイスを有するネットワーク内においてデバイスの位置を突き止めるシステムであって、
前記少なくとも１つのネットワーク経路上にあり、識別コードを有する電子モジュールを含むポートと、
識別コードを有する電子モジュールを含む前記宛先デバイスと、
前記ポートの前記電子モジュールおよび前記宛先デバイスの前記電子モジュールに電力を供給するローカル電源と、
前記少なくとも１つのネットワーク経路に沿って、前記少なくとも１つのネットワーク経路に対応する前記ポートおよび前記宛先デバイスにアドレスされたクエリ信号を送ることができる前記ソース・デバイスと、
前記ポートに対応し、前記ポートにアドレスされた前記クエリに対し、ポート送信において、その識別コードを前記ソース・デバイスに送信することにより応答する前記電子モジュールと、
前記宛先デバイスにアドレスされた前記クエリに対し、宛先デバイス送信において、その識別コードを前記ソース・デバイスに送信することにより応答する前記宛先デバイスの前記電子モジュールと、
を備えたシステム。
【請求項２】
請求項１記載の文書化システムにおいて、前記ポートは、パッチ・パネル・ポートである、文書化システム。
【請求項３】
請求項１記載の文書化システムにおいて、前記ポートは、前記宛先デバイスに直接接続されている出口ポートである、文書化システム。
【請求項４】
請求項３記載の文書化システムにおいて、前記出口ポートは壁付きコンセントである、文書化システム。
【請求項５】
請求項１記載の文書化システムにおいて、前記ソース・デバイスは、前記ポート送信および前記宛先デバイス送信の双方が前記ソース・デバイスにおいて受信されない場合、前記クエリ信号を再度送るように構成されている、文書化システム。
【請求項６】
請求項１記載の文書化システムにおいて、前記ローカル電源は、電力アダプタであり、前記文書化システムは、更に、前記宛先デバイスの前記電子モジュールおよび前記ポートの前記電子モジュールに電力を搬送する電力パッチ・ケーブルを備えた、文書化システム。
【請求項７】
複数のネットワーク経路に接続されたソース・デバイスを有するネットワークの文書化システムであって、
前記ネットワーク経路の少なくとも１つに対応するポートと、
前記少なくとも１つのネットワーク経路に沿って前記ポートに結合されている宛先デバイスと、
前記ポートに関連する電子モジュールであって、識別コードを有する電子モジュールと、
前記宛先デバイスに関連する電子モジュールであって、識別コードを有する電子モジュールと、
前記ソース・デバイスと関連し、前記ネットワーク経路のそれぞれに沿ってクエリ信号を送信する送信機と、
前記ソース・デバイスと関連し、前記ネットワーク経路の前記それぞれから応答信号を受信する受信機と、
前記ポートの前記電子モジュールおよび前記宛先デバイスの前記電子モジュールに電力を供給するローカル電源と、
を備えた文書化システム。  
【請求項８】
請求項７記載の文書化システムにおいて、前記ポートはパッチ・パネル・ポートである、文書化システム。
【請求項９】
請求項７記載の文書化システムにおいて、前記ポートは出口ポートである、文書化システム。
【請求項１０】
請求項９記載の文書化システムにおいて、前記出口ポートは壁付きコンセントである、文書化システム。
【請求項１１】
請求項７記載の文書化システムにおいて、前記ソース・デバイスは、前記ポート送信および前記宛先デバイス送信の双方が前記ソース・デバイスにおいて受信されない場合、前記クエリ信号を再度送るように構成されている、文書化システム。
【請求項１２】
請求項７記載の文書化システムにおいて、前記ローカル電源は、電力アダプタであり、前記文書化システムは、更に、前記宛先デバイスの前記電子モジュールおよび前記ポートの前記電子モジュールに電力を搬送する電力パッチ・ケーブルを備えた、文書化システム。
【請求項１３】
ネットワーク内においてデバイスを特定しその位置を突き止める方法であって、
ソース・デバイスから、該ソース・デバイスと通信状態にあるポートと、該ポートに接続されている宛先デバイスとを有するネットワーク経路に沿ってクエリを送るステップであって、前記ポートにはポート電子モジュールが関連し、前記宛先デバイスには宛先デバイス電子モジュールが関連し、前記電子モジュールの各々は、それに関連付けられた識別コードを有する、ステップと、
前記ポートに関連する前記電子モジュールと、前記宛先デバイスに関連する前記電子モジュールに、ローカル電源を用いて電力を供給するステップと、
前記ポートにおいて前記クエリを受信するステップと、
前記クエリに対し、前記ポートから前記ソース・デバイスに、前記ポート電子モジュールに関連する前記識別コードを収容したポート応答信号を送ることにより応答するステップと、
前記宛先デバイスにおいて、前記クエリを受信するステップと、
前記クエリに対し、前記宛先デバイスから前記ソース・デバイスに、前記宛先デバイス電子モジュールに関連する前記識別コードを収容した宛先デバイス応答信号を送ることにより応答するステップと、
前記ソース・デバイスにおいて、前記ポート応答信号および前記宛先デバイス応答信号を監視するステップと、
を備えた方法。
【請求項１４】
請求項１３記載の方法において、前記クエリに対し前記ポート応答信号を送ることにより応答する前記ステップは、前記クエリに対し前記宛先デバイス応答信号を送ることにより応答する前記ステップの前に完了する、方法。
【請求項１５】
請求項１３記載の方法において、前記クエリに対し前記宛先デバイス応答信号を送ることにより応答する前記ステップは、前記クエリに対し前記ポート応答信号を送ることにより応答する前記ステップの前に完了する、方法。
【請求項１６】
請求項１３記載の方法において、前記ポートはパッチ・パネル・ポートである、方法。
【請求項１７】
請求項１３記載の方法において、前記ポートは壁付きコンセントである、方法。
【請求項１８】
ネットワーク経路であって、第１端にあるソース・デバイスと、前記ネットワーク経路に沿ったポート電子モジュールを有するポートと、第２端にあり宛先デバイス電子モジュールを有する宛先デバイスとを備えた前記のネットワーク経路を有するネットワーク・システムを文書化する方法であって、
前記ソース・デバイスからクエリ信号を送るステップと、
前記ポート電子モジュールおよび前記宛先デバイス電子モジュールに、ローカル電源および電力パッチ・コードを用いて電力を供給するステップと、
前記ソース・デバイスにおいて、前記ポートからのポート識別コードを含むポート応答信号と、前記宛先デバイスからの宛先デバイス識別コードを含む宛先デバイス応答信号とを監視するステップと、
を備えた、方法。
【請求項１９】
請求項１８記載の方法において、前記ポートはパッチ・パネル・ポートである、方法。
【請求項２０】
請求項１８記載の方法において、前記ポートは出口ポートである、方法。
【請求項２１】
請求項２０記載の方法において、前記出口ポートは壁付きコンセントである、方法。
【請求項２２】
ネットワーク文書化システムであって、
クエリ信号を送るソース・デバイスと、
前記クエリ信号を搬送するネットワーク経路と、
前記ネットワーク経路に沿ったポートであって、該ポートは、当該ポートに関連するポート識別コードを格納したポート電子モジュールを備えており、該ポート電子モジュールは、前記クエリ信号に対し、前記ポート識別コードを含むポート応答信号を前記ソース・デバイスに前記ネットワーク経路に沿って送ることにより応答するように構成されている、ポートと、
前記ポートと通信状態にある宛先デバイスであって、該宛先デバイスは、当該宛先デバイスに関連する宛先デバイス識別コードを格納した宛先デバイス電子モジュールを備えており、該宛先デバイス電子モジュールは、前記クエリ信号に対し、前記宛先デバイス識別コードを含む宛先デバイス応答信号を前記ソース・デバイスに前記ネットワークに沿って送ることにより応答するように構成されている、宛先デバイスと、
前記ポート電子モジュールおよび前記宛先デバイス電子モジュールに電力を供給するローカル電源と、
前記ローカル電源から前記ポート電子モジュールおよび前記宛先デバイス電子モジュールに前記電力を搬送するパッチ・コードと、
を備えた、ネットワーク文書化システム。
【請求項２３】
請求項２２記載のネットワーク文書化システムにおいて、前記ポートはパッチ・パネルに配置されている、ネットワーク文書化システム。
【請求項２４】
請求項２２記載のネットワーク文書化システムにおいて、前記ポートは、前記宛先デバイスに接続されている出口ポートである、ネットワーク文書化システム。
【請求項２５】
請求項２４記載のネットワーク文書化システムにおいて、前記出口ポートは壁付きコンセントである、ネットワーク文書化システム。
【請求項２６】
請求項２２記載のネットワーク管理システムにおいて、前記宛先デバイスは、ボイス・オーバー・インターネット・プロトコル電話機である、ネットワーク管理システム。
【請求項２７】
請求項２２記載のネットワーク管理システムにおいて、前記ソース・デバイスは、クエリに続いて、応答信号が前記ソース・デバイスにおいて受信されない場合、前記クエリを再度送るように構成されている、ネットワーク管理システム。
【請求項２８】
ネットワークにおいてポートと宛先デバイスとに電力を供給しまたそれらの間でデータを転送するパッチ・コードであって、
ローカル・ポート・データ導体と、ローカル・ポート電力導体とを有するローカル・ポート終端と、
前記ローカル・ポート・データ導体と通信状態にある宛先デバイス・データ導体を備えた宛先デバイス・データ終端と、
宛先デバイス電力導体を備えた宛先デバイス電力終端と、
電源電力導体を備えた電源終端であって、前記電源電力導体が、前記ローカル・ポート電力導体および前記宛先デバイス電力導体に接続され、前記ローカル・ポート電力導体および前記宛先デバイス電力導体に電力を供給する、電源終端と、
を備えたパッチ・コード。
【請求項２９】
請求項２８記載のパッチ・コードにおいて、前記ローカル・ポート終端は、８本のローカル・ポート・データ導体と、２本のローカル・ポート電力導体とを備えた、パッチ・コード。
【請求項３０】
請求項２９記載のパッチ・コードにおいて、前記宛先デバイス・データ終端は、前記８本のローカル・ポート・データ導体と通信状態にある８本の宛先デバイス・データ導体を備えた、パッチ・コード。
【請求項３１】
請求項３０記載のパッチ・コードにおいて、前記宛先デバイス電力終端は、２本の宛先デバイス電力導体を備えた、パッチ・コード。
【請求項３２】
請求項３１記載のパッチ・コードにおいて、前記電力供給終端は、２本の電源電力導体を備えた、パッチ・コード。